(57)【特許請求の範囲】
【請求項１】
顔面を覆うフェイスカバーと耳を覆う耳カバーと着用具とを備え、
前記フェイスカバーの左右辺上端部に前記耳カバーを取り付け、
前記耳カバーは、耳全体を包み込むように、耳の縁部で折り返した袋状であって、耳の表側に当たる部分は直線状に、耳の裏側に当たる部分は円弧状になるような袋口を有し、前記袋口の円弧状部分は絞り縮めた巾着状にしたことを特徴とするフェイスマスク。
【請求項２】
前記着用具は、対となった係止具受と係止具、紐通し用ループ、着用紐Ａ又は着用紐Bからなり、
前記係止具受と前期紐通し用ループは、前記フェイスカバーの左右辺上端部に設け、
前記係止具は、前記着用紐Ａの両端に設け、
前記係止具が前記係止具受に着脱可能に固着された前記着用紐Ａ、又は紐通し用ループに通された着用紐Bを、耳又は頭に掛けて、頭部に固定することを特徴とする請求項１に記載のフェイスマスク。
【発明の詳細な説明】
【技術分野】
【０００１】
本発明は、顔面を覆う耳カバー付フェイスマスクに関する。                  
【背景技術】
【０００２】
従来の例えば紫外線対策用のマスクには、マスクが覆う範囲として顔面と耳の表側を覆うものや（特開２０１４−８８６５０号）顔面と後首を覆うものがあった。（特開２０１２−１４９３６９号）
また、頭部着用はゴムを耳に掛ける方法が大半だった。（特開２０１４−８８６５０号、特開２０１２−１４９３６９号）
【先行技術文献】
【特許文献】
【０００３】
【特許文献１】特開２０１４−８８６５０号特開２０１２−１４９３６９号
【発明の概要】
【発明が解決しようとする課題】
【０００４】
フェイスマスクがカバーする範囲は、顔面と耳の表面だけや顔面と後首だけで、紫外線アレルギー症や皮膚アレルギーの人にとっては十分ではなかった。逆にロングヘアーの人等には耳カバーが邪魔な時もある。その他にも耳カバー部分が平面ゆえに、耳からのずれやめくれ等幾つか問題があった。
また、頭部着用は従来通りゴム紐を耳に掛ける方法が大半で、耳への負担や違和感があり、特にメガネを掛ける人にとっては、メガネとマスクの二重の負担がかかり、この違和感を嫌ってマスクの使用をためらう人もいた。
【０００５】
本発明は、このような従来の方法が有していた問題を解決しようとするものであり、耳カバー部分は必要様な時だけ取り付けられる着脱方式にもでき、耳からずれずめくれず耳の裏側まですっぽり覆う巾着状の立体的構成になっている。着用紐を耳に掛ける方法だけでなく、耳への負担が少ない頭に掛ける方法でも着用でき、フェイスカバー部分は口と鼻から直接息ができるようにして、着用感が快適でカバー範囲が広いマスクを提供することを目的とするものである。
【０００６】
そして、本発明は、上記目的を達するために、
顔面を覆うフェイスカバーと耳を覆う耳カバーと着用具とを備え、
フェイスカバーの左右辺上端部に耳カバーを取り付け、
耳カバーは、耳全体を包み込むように、耳の縁部で折り返した袋状であって、耳の表側に当たる部分は直線状に、耳の裏側に当たる部分は円弧状になるような袋口を有し、袋口の円弧状部分は絞り縮めた巾着状にしたことを特徴とするフェイスマスクである。
また、第２の特徴の着用具は、対となった係止具受と係止具、紐通し用ループ、着用紐Ａ又は着用紐Bからなり、
フェイスカバーの左右辺上端部に係止具受と紐通し用ループを設け、
着用紐Ａの両端に係止具を設け、
係止具が係止具受に着脱可能に固着された着用紐Ａ、又は紐通し用ループに通された着用紐Bを、耳又は頭に掛けて、頭部に固定することである。
【０００７】
上記の課題解決手段による作用は次の通りである。
すなわち、耳カバーは裏面まで含めた耳全体を余裕もって包めるほどの布の周囲の一部を縫い縮めて巾着状にして立体的な、耳の縁部で生地が折り返されて耳を包み込むような袋状になっている。折り返し部分が耳の縁を密着して包むようになる。
かつ、袋状の袋口は、耳の表側に当たる部分は直線状に、耳の裏側に当たる部分は円弧状になっている。着用時、袋口の円弧状部分を耳に引っ掛けると、同様に円弧状の耳付け根部分に適合し、耳の裏面付け根まですっぽり包み込むようになる。
また、着用時、袋状部分が耳の根元から耳の縁の出っ張り部分に引っかかるので、耳カバーが耳からずれなくなりめくれなくなる。
また、第２の解決手段による作用は次の通りである。
すなわち、係止具受を用いる場合、係止具付の着用紐Ａが２個の係止具受間で、後頭部を横断するように又は耳を縦断するように、その両端の係止具を対応する係止具受に固着させて、この着用紐Ａを耳又は頭に掛けて、頭部に固定することになる。
また、紐通し用ループを用いる場合、着用紐Bが２個の紐通し用ループ間で、後頭部を横断するように又は耳を縦断するように紐通し用ループに通して固定し、この着用紐Bを耳又は頭に掛けて、頭部に固定することになる。
このように、着用手段として係止具使用か紐通し用ループ使用かの選択、更にそれぞれに耳に掛けるか頭に掛けるかの選択ができるようになるので、全部で４通りの着用方法が可能となります。
また、耳カバーはフェイスカバーと別仕立てとなっており、耳カバーに係止具を設けて、その係止具をフェイスカバーの係止具受に固着させて、耳カバーを着脱方式にもできる。この場合、頭部着用手段として係止具受は使えなくなっているので、紐通し用ループを使って頭に掛けるか耳に掛けるかして着用することになる。
【発明の効果】
【０００８】
上述したように、本発明によれば、
着用手段として係止具受を使っても紐通し用ループを使っても、着用紐を頭に掛ける方法と耳に掛ける方法の２通りでき、全部で４通り可能になった。そこで、ヘアスタイルの乱れが気になる時や物干しでちょっとベランダにでる時等は耳掛け式に、長時間の屋外作業やテニス等スポーツする時は、耳が痛くならずしっかり固定維持できる頭掛け式にとTPOに合わせて選択できるようになった。
特に、耳カバーを係止具で留めて紐通し用ループを使って着用して、つまりは両方法を同時に使うことによって耳カバーを着脱方式にすることもできる。例えば防寒用として耳カバーが必要な時だけ耳カバーを取り付けて使用し、普段は一般的なフェイスカバーとして使用できる。防寒用にも紫外線防止にも乾燥防止にもアトピー症の傷隠し等いろんな用途に使えて、使用期間は長く、使用頻度は高い。
耳カバーが巾着状のため、着用時この部分を引っかけると、耳の表面だけではなく裏面まですっぽり覆いカバー範囲は拡大し、耳カバーのずれやめくれを防ぐこともできる。また、耳カバーを安定維持できるので、耳カバー部分の着用具は不要で、頭部の違和感が減り着用感はより良くなった。
また、鼻だけでなく口からも息が直接外に出ていくようになっているので、着用時のメガネの曇りや息苦しさやマスク内の蒸れによる不快感がなくなった。
今回のように、係止具と係止具受にプレス式ホックを採用した場合、ホックとフェイスカバーの間に紐通し用ループを挟みこんでプレスすると、ホックと紐通し用ループを同時に設けることができる。手間も時間も短縮できて効率がいい上に、紐通し用ループ取り付けの跡が全く残らないので仕上がりが綺麗で見栄えもいい。
【図面の簡単な説明】
【０００９】
【図１】本発明に係るフェイスマスクの分解図
【図２】本発明に係るフェイスマスクの組み立て図
【図３】図２のフェイスマスク装着時の側面図
【図４】図２のフェイスマスク装着時の正面図
【図５】ネックカバー大装着時の側面図
【図６】ネックカバー小装着時の側面図
【図７】１枚仕立ての耳カバーとネックカバー小装着時の側面図
【図８】耳カバーの裏面図
【図９】紐通し用ループ使用時の頭掛け方式の紐セット図
【図１０】係止具使用時の頭掛け方式の紐セット図
【図１１】係止具使用時の耳掛け方式の紐セット図
【図１２】紐通し用ループ使用時の耳掛け方式の紐セット図
【発明を実施するための形態】
【００１０】
以下、本発明の実施の形態を図１〜図１２に基づいて説明する。
【００１１】
図１〜図１２は本発明の実施形態に係り、図１はフェイスマスクの分解図、図２は図１を組み立てた組み立て図、図３は図２の装着時の側面図、図４は図２の装着時の顔面正面図、図５はネックカバー大装着時の側面図、図６はネックカバー小装着時の側面図、図７は１枚仕立ての耳カバーとネックカバー小装着時の側面図、図８は耳カバーの裏面図、図９は紐通し用ループ使用時の頭掛け方式の紐セット図、図１０は係止具使用時の頭掛け方式の紐セット図、図１１は係止具使用時の耳掛け方式の紐セット図、図１２は紐通し用ループ使用時の耳掛け方式の紐セット図である。
【００１２】
図１〜図１２においては、１はAパーツ、２はBパーツ、３はCパーツ、４と５は耳カバー、６と７はネックカバー大、８と９はネックカバー小、１０〜１３は係止具受、１４〜１７は紐通し用ループ、１８〜２５は係止具、２６と２７は頭掛け用着用紐Ａ、２８と２９は耳掛け用着用紐Ａ、３０と３１は頭掛け用着用紐Ｂ、３２と３３は耳掛け用着用紐Ｂ、３４〜３７は紐通し用ループ、３８〜４１は係止具、４２〜４５はアジャスター、４７〜５０は係止具、５１〜５４は係止具である。
なお、Aパーツ、Bパーツ、Cパーツ、耳パーツを組み当てて一体となったものが図２に示すフェイスマスク４６である。
【実施形態１】
【００１３】
以下、上記実施形態の作用効果を主に図１、図２に基づいて説明する。
【００１４】
Aパーツ１は目の下から鼻の先までを覆うもので、鼻の出っ張りに沿うように下向きに略V字型になった短冊状のものである。上辺が約両耳間の距離、縦幅が目の下から鼻の先までの距離にBパーツ２と重複する分を足した距離となっている。
Bパーツ２は鼻の下から口の下までを覆うもので、口の出っ張りに沿うように下向きに略V字型になった短冊状のものである。上辺が約両耳間の距離、縦幅が鼻の下から口の下までの距離にCパーツ３と重複する分を足した距離となっている。
Cパーツ３は口の下から顎の下までを覆うもので、顎の出っ張りに沿うように下向きに略V字型になった短冊状のものである。上辺が約両耳間の距離、縦幅が口の下から下顎まで十分に覆う距離となっている。
【００１５】
上記３枚を重複する部分をつけて縦に下向きに並べて組み立てて、各パーツの中央部分をフリーにして、左右両側で縫合固定して一体となったものがフェイスカバーである。（図２）
つまり、鼻や口を覆う書くパーツの出っ張りのある部分が固定されておらず、かつ重複部分をもってフリーな状態となっている。着用時、鼻や口の出っ張り部分に大きな隙間空間ができる構造となっている。この鼻や口の隙間空間から息を直接外に放出できるのである。このようにして、息苦しくない楽な息づかいとマスク内の蒸れがないので、付け心地は快適となる。
また、フリーな部分からの通風通気もあり、綿素材を使用すると汗取り効果が大きく、流行りの吸湿速乾性等のスポーツ生地を使用すると爽やかな着用感となっている。
また、マスクを外さなくても口から飲食できるので取り外しの面倒さも少なくなる。
顔の大きさや鼻口の大きさ位置等に個人差があるが、中央部分のフリーな部分は縦方向にも微調整がきき、殆どの人に対応できるようになっている。
【００１６】
耳カバー４と５は立体的な耳を覆うもので、裏面迄含めた耳全体を余裕持って包めるほどの布の周囲の一部を縫い縮めて巾着状にしたものである。（図８）上記フェイスカバーの左右辺上端部分に耳カバーを縫合して一体となったものがフェイスマスク４６である。着用時巾着状部分を耳に引っかけて使用する。
つまり、耳カバーの巾着状部分は、生地が折り返されて袋状になっていて、耳の縁部分を包むように折り返されている。着用時耳カバーは裏面根本まで包み込んで耳全体をすっぽり覆うようになり、耳の位置や形等で個人差があって従来の表面だけ覆う耳カバーではカバーしきれていなかった部分までしっかりカバーできるようになった。
【００１７】
また、着用時巾着状部分を耳に引っかけると、袋状の巾着裏面が耳の裏側根本部分にしっかり引っかかる構造となっている。その結果、耳カバーがずれたりめくれたりするのを防止し、耳カバーを安定して維持できるようになっている。従来のずれやめくれ等の問題点が改善され、更に耳カバーを安定させる工作も不要で、その分頭部の違和感が減り付け心地はより快適になっている。
【００１８】
着用手段としては対となった係止具受と係止具と着用紐Ａを使う方法（以下係止具型）、紐通し用ループ（以下ループ）と着用紐Ｂを使う方法（以下ループ型）の２通りである。更に両型共に着用紐Ａ、Ｂを頭に掛ける方法（以下頭掛け方式）と耳に掛ける方法（以下耳掛け方式）ができ、全部で４通りとなる。
耳カバーを縫合する場合は、係止具型かループ型のどちらか一方で事足りるので、使用者の選択幅が広がるメリットはあるが、必ずしも両方備える必要はない。
【００１９】
具体的手段は以下のとおりである。
まず、係止具型ループ型共に、縫合の縫い代の左右辺の上端部分に、耳の縦幅位の間隔で、係止具受１０〜１３とループ１４〜１７を設ける。
対の係止具と係止具受は、マジックテープ等でもよいが、ここではプレス式ホックを採用し、係止具受がホック凹で対の係止具がホック凸となっている。着用紐Aに幅７ミリのゴム紐、着用紐Bに幅３ミリのゴム紐、ループにはノンレッチテープを使用し、紐の長さはアジャスターで調整可能になっている。そして、ホック凹１０〜１３をプレスする際、ホック凹と生地との間にループ１４〜１７を挟みこんでいる。
【００２０】
＊係止具型の場合は次の通りである。
アジャスター等で長さ調整ができる頭掛け用着用紐Ａ２６、２７の両端にホック凸１８〜２１を設け、同様に耳掛け用着用紐Ａ２８、２９の両端にホック凸２２〜２５を設ける。
ここでは耳掛用と頭掛用とでは紐の長さに差があるので、別々にしているが、同一紐を使って長さの調整はアジャスター等で行う方法でも良い。また、着用紐が伸縮紐の場合、アジャスターはなくても間に合うが、好みのフィット感を出したりするにはあった方がよい。
頭掛け方式の場合
着用紐Ａ２６，２７が後頭部を平行に横断するようにホック凸１８と１９をホック凹１０と１１に、ホック凸２０と２１をホック凹１２と１３に固着させ、その紐を頭にかけてフェイスマスクを頭部に固定させる。（図１０）勿論後頭部をクロスして横断するようにしても良い。
耳掛け方式の場合
着用時着用紐Ａ２８，２９が耳を縦断するようにホック凸２２と２３をホック凹１０と１２に、ホック凸２４と２５をホック凹１１と１３に固着させ、その紐を左右の耳にかけてフェイスマスクを頭部に固定させる。（図１１）
また、ホック凹１０〜１３をプレスする際、頭掛け用又は耳掛け用に適当な長さの着用紐A２６，２７の両端を生地との間に直接挟み込むこともできる。この場合、ホック凸２２〜２５を設けなくても着用でき、ホック凹１０〜１３は着脱方式の耳カバーの脱着等に使用できる。
【００２１】
＊ループ型の場合次の通りである。
頭掛け用着用紐Ｂ３０、３１と耳掛け用着用紐Ｂ３２、３３を備える。着用時着用紐が二重になるので、着用紐Ｂは着用紐Ａの約２倍の長さで細い紐の方が頭部違和感は少ない。また、ここでは耳掛用と頭掛用とでは長さに差があるので別々に準備しているが、同一紐を使っても良い。
頭掛け方式の場合
着用時着用紐Ｂが後頭部を平行に横断するように、着用紐Ｂ３０をループ１４と１５区間，着用紐Ｂ３１をループ１６と１７区間に通して両端を繋ぐと環状になる。２区間で二重になった着用紐Ｂ３１，３２を頭にかけてフェイスマスクを頭部に固定させる。（図９）勿論後頭部をクロスして横断するようにしても良い。
耳掛け方式の場合
着用時着用紐Ｂが耳を縦断するように、着用紐Ｂ３２をループ１４と１６区間，着用紐Ｂ３３をループ１５と１７区間に通して両端を繋いで環状にする。そして、２区間で二重になったそれぞれの紐を左右の耳にかけて頭部に固定させる。（図１２）
ループ型の場合、環状の着用紐Ｂの周長はその一端と他端とをつなぐ位置で自由に変化することになる。この原理を利用して、耳や頭頸に合わせた最適な位置で着用紐Ｂをつなぐことで長さ調整でき、調整幅は制限ない位大きくなっている。
勿論、着用紐Ｂを往復させずにその両端を直接ループに繋いだり、ループにそれぞれ別の紐を通して２本の紐で長さ調整する等が考えられる。
【００２２】
着用方法は以下のとおりである。
係止具型ループ型共に着用の紐を耳又は頭に掛けてフェイスマスクを頭部に固定するまでは上述の通りである。
次に図３で示すように、フェイスマスクのBパーツ２の上辺を鼻の下、Cパーツ３の上辺を口の下にして顔面にフィットさせる。
アジャスターで紐の長さを頭頸や耳に合わせて調整して頭部にしっかりと又は好みの強さにしてフィットさせる。
ここで、頭掛け式の場合、着用紐Ａを後頭部ではなく頭上を横断させて、又は二重になった着用紐Ｂを後頭部ではなく頭上を横断させるか頭上と後頭部に分けて着用すると耳への負担が減り違和感はなくなる。
最後に耳カバーの巾着状の袋部分を耳の上端出っ張り部分に引っかけて耳カバーを耳に安定させる。耳に引っかけると、袋状の巾着裏面が耳の裏側根本部分にしっかり引っかかる構造となっているので、引っかけて着用するだけで耳の表面だけでなく耳の縁から裏面全体まで広範囲にカバーするようになる。
また、耳カバーがずれたりめくれたりするのを防止し、耳カバーを安定して維持できるようになる。そこで、フェイスマスクの着用具の他に耳カバーを安定させる工作は不要、その分頭部違和感が減るので着用感は更によくなる。
【実施形態２】
【００２３】
以下、上記実施形態の作用効果を図２、図８に基づいて説明する。
【００２４】
フェイスカバーと耳カバーを各々単独に作り上げ、着脱方式にする場合である。
耳カバーがフェイスカバーと縫合されていない点とホック凹をフェイスカバーの表側に設ける点と着用手段の違い以外は（実施形態１）と同様である。
【００２５】
耳カバーは単独に仕立ててホック凸３８〜４１を設ける。設置場所はフェイスカバーと一体となった時にホック凹と対応する所になる。この時、（００１７）ホック凹１０〜１３設置時同様、ホック凸と生地との間にループを挟み込んでも良い。（図８）また、耳掛け方式又は頭掛け方式に適した長さの伸縮紐を直接挟み込んでも良い。
【００２６】
フェイスカバーと耳カバーを着脱方式で一体化する。
具体的には、耳カバー４のホック凸３８と３９をホック凹１０と１２、耳カバー５のホック凸３６と３７をホック凹１１と１３に固着させてフェイスカバーと耳カバーを一体としたものがフェイスマスク４６となる。
【００２７】
着用手段は以下のとおりである。
上述のように、一体化のためにホック凹１０〜１３を使用するので、着用手段として係止具型を選択することは不可能な状態となっている。
そこで、着用手段はループ型に限定されることになり、（００１７）の頭掛け方式又は耳掛け方式の方法で頭部に固定することになる。
この場合、使用するループはフェイスカバーの１４〜１７でも耳カバーの３４〜３７でも構わない。耳カバーの３４〜３７を使うメリットは、耳カバーを使うときに紐のセットをやり直す手間暇がいらないことである。
つまり、フェイスカバーとしてループ型で着用していた場合、空いているホック凹１０〜１３に耳カバーのホック凸３８〜４１を固着すると同時に着用準備完了となる。ホック凸をプレスする際耳かけ方式又は頭かけ方式に適した長さの伸縮紐Ａを直接挟み込んでいた場合も同様である。
逆にフェイスカバーとして係止具型で着用していた場合は、耳カバー取付けにはホック凹が必要で、ループ型で着用せざるを得なく着用紐Ｂをループに通す作業をしなければならなくなる。
そこで、あらかじめ耳カバーのループに着用紐Ｂを通しておくと、その作業が省けるので耳カバーが必要な時に瞬時に使用できるようになる。更に両耳カバーを頭掛け方式に繋いでおくと片方の耳カバーだけ紛失してしまう心配がない。
【００２８】
このように、耳カバーはホックを使って留めて、ループを使って着用することによって、つまりはループとホックの両方を同時に使うことによってはじめて、耳カバーを着脱方式にすることができるのである。耳カバーのホック凸と生地との間に、耳かけ方式又は頭かけ方式に適した長さの伸縮紐を、直接挟み込んでいた場合は別である。
両方備えることを考え付いたのは、耳カバーを着脱方式にするために他ならない。作業手間と見栄えを考慮してプレス式ホックを採用し、生地とホックの間にループ又は着用紐を挟み込でプレスすることにしたものである。
【００２９】
着脱方式の最大のメリットは、耳カバーを外すと顔面を覆うフェイスカバーとして単独で使用できることである。この場合、普通に防寒用やＵＶマスク等にいつでもどこでも年間を通して気楽に使用でき、使用頻度は高い。
特に寝る前乾燥防止のクリームを塗る機会が増える冬場、クリームが布団につくのが気になるが、口と鼻から息が楽にできるフェイスカバーを着けることで、汚れ防止だけでなく防寒対策にもなるのである。
そして必要な時だけ、例えば防寒用の耳カバーが必要な時期だけ、ロングヘアーの人が髪を結んでスポーツする時だけ耳カバーを付けて使用するのである。
ＴＰＯにあわせて耳カバーを付けたり外したりして楽しみながら、年間を通して使用できるので経済的でもある。
紫外線アレルギー症のように耳カバーが付いているのが当たり前の人用にはマスク主部に耳カバーやネックカバーを縫合したりして最初から一体となったものが良い。ロングヘアーの人等耳カバーが不要な人やあまり凝らしくしたくない人は着脱式にしてもよい。
防寒用には耳カバーだけをフリース生地等を使ったり、フェイスカバー部分はピンク等かわいい色にして耳カバーは目立たないように髪と同じ黒色を使ったりと、色々楽しむことができる。
【００３０】
従来の耳かけゴム紐の着用方法では、頭の大きさや耳の位置や形等個人差に応じてしっかりとまたは好みの強さにフィットさせるのは難しかった。
しかし、（００１７）で述べたように、着用手段として４通りできるようになった。更に着用紐がアジャスター等で長さの調節ができるので、個々別に用途別にTPOにあわせて着用手段を選択して、頭頚や耳に合わせてピッタリまたは好みの強さにフィットさせることができるようになった。
【００３１】
着用紐が伸縮紐の場合、フィット感は更に増し、一度サイズ調整するとその後の頭掛け式はマスクを頭からかぶって、耳掛け式はそのまま耳に掛けるだけで着用完了、セットが簡単で早い。
【００３２】
ループ型の場合、着用紐はフェイスマスクに直付ではなく別途備える方法なので、紐の劣化等による紐の取替は縫い付ける技術も手間もいらず簡単で誰でもできるものである。
【実施形態３】
【００３３】
以下、上記実施形態の作用効果を図５，６に基づいて説明する。
【００３４】
ネックカバーをフェイスカバーの左右両側で縫合固定または着脱自在にして一体とした場合である。
【００３５】
ネックカバーは、主に後首を覆うもので、横幅を両耳間よりやや長めとする。縦幅は耳カバーを兼ねたい場合は耳の上端部分から肩下位までの長めにし（以下ネックカバー大）、単なる後首用には耳の下部分から肩下位までの短めとする（以下ネックカバー小）。また、その上辺は頭頚やフィット感調整のために伸縮紐やアジャスター等で調整可能にしておく方が望ましい。
ここで採用しているように、ネックカバーは横中心で２分割して後頭部中央で閉じるようにしてもよい。この場合、着脱式の耳カバー同様フェイスカバーを頭部に固定した後、最後に後頭部中央で２分割されたネックカバーを合わせるので着用が楽になる。
【００３６】
まず、フェイスカバーの左右辺に上記ネックカバー大を縫合して一体とする。（図５）縫合した場合は全体が筒状になっているので被って着用となり、ネックカバー上辺のゴム紐やアジャスター等の調整機能が頭部に固定維持する耳上部分の着用紐２６又は３０の役割を果たすことになる。ここで、縫合の縫い代部分にホック凹やループを設けると、頭部着用は（００１７）と同様の着用方法を併用することができ、耳上部分もより安定的に着用維持できる。
耳の下部分の固定は係止具型ループ型いずれかの頭かけ方法ができる。いずれかの耳掛け式でも構わない。
【００３７】
ネックカバー大を着脱式にする場合、ネックカバー大の左右辺の上端部分にフェイスカバーのホック凹１０〜１３に固着されるホック凸４７〜５０を設け、対応して固着させて一体とする。
耳から上が筒状になっているので被って着用となり、その上辺のゴム紐やアジャスター等の調整機能が耳上部分の着用紐２６又は３０の役割を果たすことになる。耳の下部分の固定は係止具型ループ型いずれかの方法でできる。ループ型の耳掛け式でも構わない。その他の着用方法等は耳カバーを着脱方式にした場合と同様である。
普段は顔面を覆う一般的なネックカバーとして使い、必要なときだけ耳を含めた後頭部全体をカバーすることが出来るようになる。
【００３８】
ネックカバー大のホック凸に固着されるホック凹をその両端に取り付けたゴム紐を備えておくと、単体としてネックカバー大を使用することもできる。この紐の長さはネックカバー大の上辺と合わせると頭囲になる位とする。
ネックカバー大のホック凸をゴム紐のホック凹に固着させると全体が環状となる。ゴム紐部分を手持ちのサンバイザー等の前方にかけて、耳から後頭部全体をカバーする単体のネックカバーとして使用する。フィット感等細かな調整はネックカバー上辺の中に入ったゴム紐やアジャスター等の調整機能で行う。
【００３９】
ネックカバー小を縫合固定して耳カバーを着脱型の場合、
ホック凹１０〜１３は耳カバー用となり、頭部着用具としては使えなくなるので、（００１７）のループ型の耳掛け式または頭掛け式によって着用が可能となる。耳の下部分の着用はネックカバー小の上辺のゴム紐やアジャスター等の調整機能だけでもできるが、紐通し用ループ１６と１７を使って（００１７）の頭掛け方式と併用するとより安定する。耳の上部分の着用は紐通し用ループ１４と１５を使って（００１７）の頭掛け方式で行う。ループ型耳掛け方式でもよい。
耳カバーのホック凸と生地との間に、耳かけ方式又は頭かけ方式に適した長さの伸縮紐を、直接挟み込んでおく場合も着用可能である。
そして、必要なときだけ耳カバーを取り付けて、普段はネックカバー付のフェイスカバーとして使うようになる。
【００４０】
逆にネックカバー小を着脱方式にして耳カバーを縫合する場合、
ネックカバー小の左右辺の上端部分にホック凸５１〜５４を設けておく。ホック凹１２と１３に固着したホック凸５１と５２がネックカバー小の上辺の調整機能が耳下部の着用維持の役割を果たすことになる。紐通し用ループ１６と１７を使って（００１７）の頭掛け方式と併用するとより安定する。耳上部の着用は係止具型ループ型いずれかの頭掛け方法でできる。ループ型の耳掛け式でも構わない。
また、ホック凸５３〜５４に対応するフェイスカバーの位置にホック凹を２戸追加したほうが合体したときに安定する。
そして、必要なときだけ耳だけでなく後ろ首をもカバーするようにして、普段は顔面を覆う耳カバー付のフェイスカバーとして使うようになる。
【００４１】
【実施形態４】
【００４２】
以下、上記実施形態の作用効果を図７に基づいて説明する。
耳カバーとネックカバー小を１枚仕立てで合体したもの（耳ネックカバー）を縫合又は着脱方式にフェイスカバーの左右辺に取り付けて一体とした場合である。
図７で示すように、耳ネックカバーは、ネックカバー小の上辺に巾着状にした耳カバーを継ぎ足したような形で、左右それぞれ１枚仕立てとなっている。耳カバー同様、着用時巾着状部分が耳の上端出っ張り部分に引っかかるようになっている。左右２枚に分かれた耳ネックカバーは後頭部でマジックテープ（登録商標）又はホックなどでとじ合わせて着用する。
縫合の場合の着用方法は、縫合の際の縫い代にホック凹とループを設けると、（００１７）と同様である。
【００４３】
着脱式にする場合、その左右辺の上端部分にホック凹１０〜１３に固着されるホック凸を設け、対応させて固着して着用する。その他の着用方法等は耳カバーを着脱方式にした場合と同様である。
耳下部分の着用具受から下はフェイスカバーと耳ネックカバーは閉じられていないのでひらひらと開放的になっている。夏場は首元からの熱がここから抜けるので涼しく蒸れず快適な着け心地となる。
【符号の説明】
【００４４】
１    Aパーツ
２    Bパーツ
３    Cパーツ
４〜５    耳カバー
６〜７    ネックカバー大
８〜９    ネックカバー小
１０〜１３    係止具受
１４〜１７    紐通し用ループ
１８〜２５    着用紐Ａ・係止具
２６〜２７    頭掛け・着用紐Ａ
２８〜２９    耳掛け・着用紐Ａ
３０〜３１    頭掛け・着用紐Ｂ
３２〜３３    耳掛け・着用紐Ｂ
３４〜３７    紐通し用ループ
３８〜４１    耳カバー・係止具
４２〜４５    アジャスター
４７〜５０    ネックカバー大・係止具
５１〜５４    ネックカバー小・係止具
４６    フェイスマスク
【図１】
0006006275.tif 000002
【図２】
0006006275.tif 000003
【図３】
0006006275.tif 000004
【図４】
0006006275.tif 000005
【図５】
0006006275.tif 000006
【図６】
0006006275.tif 000007
【図７】
0006006275.tif 000008
【図８】
0006006275.tif 000009
【図９】
0006006275.tif 000010
【図１０】
0006006275.tif 000011
【図１１】
0006006275.tif 000012
【図１２】
0006006275.tif 000013